(57)【要約】【課題】縦長箱体の中に冷暖房機能と空気を清浄にする木炭を備え、縦長箱体の通気路を上昇した空気が上部に装着したフアンを回転して室内に快適で新鮮な空気を送風できる。【解決手段】縦長箱体1の下部のＥを物品の配置スペースと、その上段のＦを外気を流入する吸気口スペースと、その上段のＧを発熱体又は保冷剤袋収容スペースと、その上段のＨを木炭収容網袋収容スペースと、その上段のＩをフアン装着スペース等を設け、縦長箱体1の下部の開口部15から流入した空気を、Ｅの配置スペースを除く他の各収容スペースの通気路17を流動して上昇し、最上部のＩのフアン装着スペースに装着したフアン7を回転し、季節によって暖めた空気又は冷えた空気を清浄にして室内に向かって送風することができる。【選択図】  図1
2007333307.tif 000002
【特許請求の範囲】
【請求項１】
建物の外側の開口部に装着する縦長箱体の給気装置であって、前記縦長箱体を木製の板材で形成し、該縦長箱体の外側に張った面材の内側に面材に接して断熱材を張り、前記縦長箱体の下部のＥに物品の配置スペースと、その上段のＦに外気を流入する吸気口スペースと、その上段のＧに発熱体又は保冷剤袋収容スペースと、その上段のＨに木炭収容網袋収容スペースと、その上段のＩにフアン装着スペース等を設け、前記縦長箱体の下部に設けたＦの前記吸気口スペースから流入した空気を、前記各スペースの通気路を流動して上昇し、最上部のＩの前記フアン装着スペースに装着したフアンの回転で、季節によって冷えた空気を又は暖めた空気を清浄にて室内に向かって送風することを特徴とする冷暖房機能を有する給気装置。
【請求項２】
前記縦長箱体の最下部のＥに室内に向かって開放した物品を配置する前記配置スペースを設け、その上段のＦの前記吸気口スペースの外側に開口部を設け、該開口部の外側にフードを備え、底板の上面に結露水を受ける金属材の皿板を備えた前記吸気口スペースを設け、その上段のＧの前記発熱体又は保冷剤袋収容スペースの室内側に片開きの扉を有し、下部にグリルを備えた前記発熱体又は保冷剤袋収容スペースを設け、その上段のＨの前記木炭収容網袋収容スペースの室内側に片開きの扉を有し、下部にグリルを備えた前記木炭収容網袋収容スペースを設け、最上部のＩの前記フアン装着スペースに室内側に開口部を設け、下部にグリルを備え、室内側に向かってフアンを装着した前記フアン装着スペースを設け、Ｅの前記配置スペースを除く前記各収容スペースの通気路を流動して上昇した空気を、前記フアンの回転で季節によって冷えた空気を又は暖めた空気を室内に向かって送風することを特徴とする請求項1に記載の冷暖房機能を有する給気装置。
【請求項３】
前記縦長箱体のＧの前記発熱体又は保冷剤袋収容スペースに収容する発熱体収容箱体は、前記発熱体又は保冷剤袋収容スペースに収容出来る寸法に構成した保冷剤袋収容箱体であって、前記発熱体収容箱体の上下部を除く周囲を耐熱板で組んで箱体を形成し、上部には長手方向の前記耐熱板の壁面から耐熱板の天板の側端を適宜な間隔を開けて天板を水平に設け、前記発熱体収容箱体の周壁の内面に発熱体を装着し、該発熱体収容箱体の周壁の発熱体の面から縦横に金属材で格子状に組んだ複数の発熱体支持部材を水平に設け、該各発熱体支持部材の側端を長手方向の壁面から交互に適宜の間隔を開けて設け、該各発熱体支持部材を上下方向に適宜な間隔を開けて設け、該各発熱体支持部材毎に支持部材の上面に発熱体を水平に装着し、前記縦長箱体の前記扉を開けてＧの前記発熱体又は保冷剤袋収容スペースの下部のグリルの上面に前記発熱体収容箱体を載置し、下方から上昇した空気が水平方向に各発熱体の間をジグザグに流動し、冬季は発熱体から放散する熱気で暖められた空気が通気路を流動して上昇し、前記フアンの回転で室内に向かって送風し、前記縦長箱体の室内側の面にスイッチ兼用のコンセントと、室温の状況よって温度調整手段を設け、夏季は前記発熱体収容箱体を撤去し、前記保冷剤袋収容箱体と入れ替えることを特徴とする請求項1又は2に記載の冷暖房機能を有する給気装置。
【請求項４】
前記縦長箱体のＧの前記発熱体又は保冷剤袋収容スペースに収容する保冷剤袋収容箱体は、前記発熱体又は保冷剤袋収容スペースに収容出来る寸法に構成した保冷剤袋収容箱体であって、前記保冷剤袋収容箱体の周囲の三面をプラスッチク板材で組み、該保冷剤袋収容箱体の室内側の面の下部と上部を断面が正方形の金属部材で水平に繋ぎ、該金属部材の内側に前記保冷剤袋の出し入れができる上下方向に着脱自在に金属製の蓋板を設けて形成し、前記保冷剤袋収容箱体の周囲の壁面から複数の金属製の格子状の保冷剤袋の支持部材を水平に設け、該各支持部材の上面に長手方向の両壁面から交互に適宜の間隔を開けて仕切部材を垂直に取付けて通気路を設け、前記各支持部材の上面に壁面と該仕切部材の間に前記保冷剤袋を水平に載置し、各支持部材の上下方向を前記保冷剤袋と共に適宜な間隔を開けて設け、前記縦長箱体の前記扉を開けて、Ｇの前記発熱体又は保冷剤袋収容スペースの下部のグリルの上面に前記保冷剤袋収容箱体を載置し、前記各保冷剤袋の間を水平にジグザグに空気が流動し、該保冷剤袋から放散する冷気で通気路を流動する空気を冷し、使用時間によって他の保冷剤袋と交換が出来、夏季には前記通気路を流動して上昇した冷気を前記フアンの回転で室内に向かって送風し、冬季は前記保冷剤袋収容箱体を撤去し、前記発熱体収容箱体と入れ替えすることを特徴とする請求項1 、2又は3に記載の冷暖房機能を有する給気装置。
【請求項５】
前記縦長箱体のＨの前記木炭収容網袋収容スペースに収容する木炭収容網袋は、前記木炭収容網袋収容スペースに収容出来る寸法に形成した木炭収容網袋であって、前記木炭収容網袋はナイロン製の糸で編んで長方体の形状に形成し、前記木炭収容網袋の上部に設けた開口部から砕いた木炭を入れて満たした木炭収容網袋を、前記縦長箱体の前記扉を開けてＨの前記木炭収容網袋収容スペースの下部のグリルの上面に木炭収容網袋を載置し、前記木炭同士の隙間を流動して前記通気路を上昇する空気を清浄にし、季節によって他の各収容スペースを流動する暖め又は冷やした空気を前記フアンを回転して室内に向かって送風することを特徴とする請求項1又は2に記載の冷暖房機能を有する給気装置。
【請求項６】
建物の外側の壁の開口部に装着する縦長箱体の給気装置であって、前記縦長箱体を金属材で形成し、該縦長箱体の外側に張った金属の板材の内側に板材に接して断熱材を張り、前記縦長箱体の下部のＭを外気を流入する吸気口スペースと、その上段のＮを冷暖房機能を有するパイプ収容箱体収容スペースと、その上段のＯを木炭収容網袋収容スペースと、その上段のＰにフアン装着スペース等を設け、前記縦長箱体のＭの前記吸気口スペースから流入した空気を、前記各収容スペースの通気路を流動して上昇し、最上部のＰの前記フアン装着スペースに装着したフアンの回転で、季節により冷えた空気又は暖めた空気を清浄にして室内に向かって送風することを特徴とする冷暖房機能を有する給気装置。
【請求項７】
前記縦長箱体の最下部のＭの前記吸気口スペースの外側に開口部を設け、該開口部の外側にフードを備え、底板の上面に結露水を受ける金属材の皿板を備えた前記吸気口スペースを設け、その上段のＮの前記パイプ収容箱体収容スペースに室内側に片開きの扉を有し、下部にグリルを備えた冷却機能と温水機能を有するパイプ収容箱体収容スペースを設け、その上段のＯの前記木炭収容網袋収容スペースに室内側に片開きの扉を有し、下部に金属製のグリルを備えた木炭収容網袋収容スペースを設け、最上部のＰの前記フアン装着スペースに室内側に開口部を設け、下部にグリルを備え、室内に向かってフアンを装着した前記フアン装着スペースを設け、前記各収容スペースの通気路を流動して上昇した空気を、前記フアンを回転して室内に向かって送風することを特徴とする請求項6に記載の冷暖房機能を有する給気装置。
【請求項８】
前記縦長箱体のＮの前記パイプ収容箱体収容スペース内に収容する前記パイプ収容箱体は、Ｎのパイプ収容箱体収容スペース内に収容出来る寸法に形成したパイプ収容箱体であって、前記パイプ収容箱体の上下部を除く周囲をプラスチック板材で組み、内部に金属製のパイプをＳ字状に配列した層を複数設け、各層毎に直交してＳ字状の前記パイプを水平に配列し、各上部の層と下部の層のＳ字状に配列した前記パイプの層を上下方向に適宜な間隔を開けて配設し、最上部の縦方向のＳ字状のパイプの層のパイプの後端を屈曲して垂直部分を形成し、該垂直部分のパイプの後端を屈曲して延長して下部の層の横方向のＳ字状のパイプの層を形成し、以下複数の下方の層の前記パイプも上記と同様に前記縦方向のＳ字状のパイプの層と、前記横方向のＳ字状のパイプの層を形成して配設し、最上部の前記縦方向のＳ字状の前記パイプの層のパイプの先端から流入した温水又は冷水が、Ｓ字状のパイプの各層を流動し、最下部の前記横方向のＳ字状に配列した前記パイプの層のパイプの後端から流出し、他所に装置したポンプを介し、冬季はＳ字状に配列した複数の前記パイプの層に温水を循環し、パイプから放散する暖気でＮの前記パイプ収容箱体収容スペース内の前記通気路を流動する空気を暖めて室内に送風し、夏季は前記ポンプを介し、Ｓ字状に配列した複数の前記パイプの層に冷水を循環してパイプから放散する冷気でＮの前記パイプ収容箱体収容スペース内の前記通気路を流動する空気を冷やして室内に送風し、室温の状況により前記縦長箱体の室内側の面にスイッチ兼用のコンセントと温度調整手段を設け、季節によって温水又は冷水に切り替えができることを特徴とする請求項6又は7に記載の冷暖房機能を有する給気装置。
【請求項９】
前記パイプ収容箱体内に配設するＳ字状に配列した前記パイプの複数の層を支持する支柱をパイプ収容箱体内の四隅に立設し、縦方向のパイプの層を支持する両側の両横桟を縦方向のパイプと直交し、該両横桟の両端を四隅の各支柱に水平に接合し、両横桟の上面の両側端に横桟に直交する両側の縦方向のパイプを受ける断面が半円形の複数の受部材を設けてパイプを固定し、前記両横桟の上面に中間の縦方向の各パイプを受ける高さ調整のための複数の受座を設け、横方向のＳ字状に配列した前記パイプの層を支持する縦方向の両側の縦桟を上部の前記両横桟の両端から吊金具で吊って支持し、該両縦桟で横方向に配列した前記パイプの層を支持し、以下下方の三層の縦方向のパイプの層も上記と同様に複数の横桟で支持し、以下下方の三層の横方向の前記パイプの層も上記と同様に複数の縦桟で支持し、四隅の前記支柱と、複数の前記横桟と、複数の前記縦桟とで支持組織を構成し、該支持組織の前記横桟に縦方向のＳ字状の複数の前記パイプの層を載置し、前記支持組織の縦桟に前記横方向のＳ字状の複数の前記パイプの層を載置して全体を構成して前記パイプ収容箱体内に収容し、前記パイプ収容箱体の室内側に蓋側板を取付けてパイプ収容箱体を構成し、前記縦長箱体の前記扉を開けてＮの前記パイプ収容箱体収容スペース内の下部のグリルの上面に前記パイプ収容箱体を載置し、最上部の縦方向の前記パイプの層のパイプの先端を前記ポンプからの往路のパイプに接合し、最下部の横方向の前記パイプの層のパイプの後端を前記ポンプからの復路のパイプに接合し、季節によって暖め又は冷やした空気を前記通気路を流動し、前記フアンを回転して室内に向かって送風することを特徴とする請求項6〜8に記載の冷暖房機能を有する給気装置。
【請求項１０】
前記縦長箱体のＯの前記木炭収容網袋収容スペース内に収容する木炭収容網袋は、木炭収容網袋収容スペースに収容出来る寸法に形成した木炭収容網袋であって、該木炭収容網袋はナイロン製の糸で編んで長方体の形状に形成し、前記木炭収容網袋の上面に設けた開口部から砕いた木炭を入れて満たした木炭収容網袋を、前記縦長箱体の前記扉を開けてＮの前記木炭収容網袋スペースの下部のグリルの上面に載置し、木炭同士の隙間を流動して前記通気路を上昇する空気を清浄にし、季節によって前記パイプ収容箱体収容スペースからの空気と共に清浄な空気を通気路を流動して上昇し、Ｐの前記フアン装着スペースのフアンを回転して室内に送風するとを特徴とする請求項8又は9に記載の冷暖房機能を有する給気装置。
【発明の詳細な説明】
【技術分野】
【０００１】
本発明は、建物内に外気を給気する際に、縦長箱体の中に冷暖房機能を備えた通気路を流動する空気を、季節によって暖め又は冷やし、清浄にして室内に送風することに関する。
【背景技術】
【０００２】
従来の建物は技術の進歩に伴い、快適性を求めて冷暖房の性能を高めるために、建物を高気密化する傾向にあり、それに伴って室内への空気の給気が不充分であり、よって室内の空気が希薄となり、ハウスダスト等で汚染され、居住する人の健康をそこねる結果となった。各種の機械換気装置が出回っているが、未だ理想的な換気装置がないのが現状である。
【０００３】
建物の換気を行う給気装置として、冬季に外気を取り入れる給気通路の内面に、高熱伝導率を有する金属板材を配置し、前記給気通路を構成する筒体の外部に前記金属板材を延設し、この金属板材の延設部分に前記外気の温度を高める加温手段を設置していますが、年間を通じて夏季の季節もあり、暑気の冷却手段が考察されていない。
【特許文献１】特開2005−265270号公報
【発明の開示】
【発明が解決しようとする課題】
【０００４】
上記課題を解決するために、本願の冷暖房機能を有する給気装置は、縦長箱体で縦長の通気路を形成した給気装置であって、縦長箱体の外側の下部の吸気口から流入した空気を、通気路内に段階を設けて、下から発熱体又は保冷剤袋収容スペースと、木炭網袋収容スペースと、最上部にフアン装着スペース等を設け、夏季には発熱体又は保冷剤袋収容スペース内に保冷剤袋収容箱体を収容して配置し、保冷剤袋収容箱体内の複数の保冷材の間を流動する空気を冷却し、冬季には発熱体又は保冷剤袋収容スペース内に保冷剤袋収容箱体と入れ替えに、発熱体収容箱体を収容して配置し、発熱体収容箱体内の複数の発熱体の間を流動する空気を暖め、木炭収容網袋収容スペース内の木炭の間を空気が流動して清浄にし、夏季は冷やした空気を、冬季は温めた空気を、木炭で清浄にした空気と共にフアンを回転して室内に送風することを特徴とする。
【課題を解決するための手段】
【０００５】
請求項1に係る発明は、建物の外側の開口部に装着する縦長箱体の給気装置であって、前記縦長箱体を木製の板材で形成し、該縦長箱体の外側に張った面材の内側に面材に接して断熱材を張り、前記縦長箱体の下部のＥに物品の配置スペースと、その上段のＦに外気を流入する吸気口スペースと、その上段のＧに発熱体又は保冷剤袋収容スペースと、その上段のＨに木炭収容網袋収容スペースと、その上段のＩにフアン装着スペース等を設け、前記縦長箱体の下部に設けたＦの前記吸気口スペースから流入した空気を、前記各スペースの通気路を流動して上昇し、最上部のＩの前記フアン装着スペースに装着したフアンの回転で、季節によって冷えた空気を又は暖め空気を清浄にて室内に向かって送風することを特徴とし、一日24時間部屋の窓を閉め切った状態で、快適で清浄な空気が供給される。
【０００６】
請求項2に係る発明は、前記縦長箱体の最下部のＥに室内に向かって開放した物品を配置する前記配置スペースを設け、その上段のＦの前記吸気スペースの外側に開口部を設け、該開口部の外側にフードを備え、底板の上面に結露水を受ける金属性の皿板を備えた前記吸気口スペースを設け、その上段のＧの前記発熱体又は保冷剤袋収容スペースの室内側に片開きの扉を有し、下部にグリルを備えた前記発熱体又は保冷剤袋収容スペースを設け、その上段のＨの前記木炭収容網袋収容スペースの室内側に片開きの扉を有し、下部にグリルを備えた前記木炭収容網袋収容スペースを設け、最上段のＩの前記フアン装着スペースに室内側に開口部を設け、下部にグリルを備え、室内側に向かってフアンを装着した前記フアン装着スペースを設け、Ｅの前記配置スペースを除く前記各収容スペースの通気路を流動して上昇した空気を、前記フアンの回転で季節によって冷えた空気を又は暖め空気を室内に向かって送風することを特徴とする。
【０００７】
請求項3に係る発明は、前記縦長箱体のＧの前記発熱体又は保冷剤袋収容スペースに収容する発熱体収容箱体は、前記発熱体又は保冷剤袋収容スペースに収容出来る寸法に構成した保冷剤袋収容箱体であって、前記発熱体収容箱体の上下部を除く周囲を耐熱板で組んで箱体を形成し、上部には長手方向の前記耐熱板の壁面から耐熱板の天板の側端を適宜な間隔を開けて天板を水平に設け、前記発熱体収容箱体の周壁の内面に発熱体を装着し、該発熱体収容箱体の周壁の発熱体の面から縦横に金属材で格子状に組んだ複数の発熱体支持部材を水平に設け、該各発熱体支持部材の側端を長手方向の壁面から交互に適宜の間隔を開けて設け、該各発熱体支持部材を上下方向に適宜な間隔を開けて設け、該各発熱体支持部材毎に支持部材の上面に発熱体を水平に装着し、前記縦長箱体の前記扉を開けてＧの前記発熱体又は保冷剤袋収容スペースの下部のグリルの上面に前記発熱体収容箱体を載置し、下方から上昇した空気が水平方向に各発熱体の間をジグザグに流動し、冬季は発熱体から放散する熱気で暖められた空気が通気路を流動して上昇し、前記フアンの回転で室内に向かって送風し、前記縦長箱体の室内側の面にスイッチ兼用のコンセントと、室温の状況よって温度調整手段を設け、夏季は前記発熱体収容箱体を撤去し、前記保冷剤袋収容箱体と入れ替えることを特徴とする。
【０００８】
請求項4に係る発明は、前記縦長箱体のＧの前記発熱体又は保冷剤袋収容スペースに収容する保冷剤袋収容箱体は、前記発熱体又は保冷剤袋収容スペースに収容出来る寸法に構成した保冷剤袋収容箱体であって、前記保冷剤袋収容箱体の周囲の三面をプラスッチク板材で組み、該保冷剤袋収容箱体の室内側の面の下部と上部を断面が正方形の金属部材で水平に繋ぎ、該金属部材の内側に前記保冷剤袋の出し入れができる上下方向に着脱自在に金属製の蓋板を設けて形成し、前記保冷剤袋収容箱体の周囲の壁面から複数の金属製の格子状の保冷剤袋の支持部材を水平に設け、該各支持部材の上面に長手方向の両壁面から交互に適宜の間隔を開けて仕切部材を垂直に取付けて通気路を設け、前記各支持部材の上面に壁面と該仕切部材の間に前記保冷剤袋を水平に載置し、各支持部材の上下方向を前記保冷剤袋と共に適宜な間隔を開けて設け、前記縦長箱体の前記扉を開けて、Ｇの前記発熱体又は保冷剤袋収容スペースの下部のグリルの上面に前記保冷剤袋収容箱体を載置し、前記各保冷剤袋の間を水平にジグザグに空気が流動し、該保冷剤袋から放散する冷気で通気路を流動する空気を冷し、使用時間によって他の保冷剤袋と交換が出来、夏季には前記通気路を流動して上昇した冷気を前記フアンの回転で室内に向かって送風し、冬季は前記保冷剤袋収容箱体を撤去し、前記発熱体収容箱体と入れ替えすることを特徴とする。
【０００９】
請求項5に係る発明は、前記縦長箱体のＨの前記木炭収容網袋収容スペースに収容する木炭収容網袋は、前記木炭収容網袋収容スペースに収容出来る寸法に形成した木炭収容網袋であって、前記木炭収容網袋はナイロン製の糸で編んで長方体の形状に形成し、前記木炭収容網袋の上面に設けた開口部から砕いた木炭を入れて満たした木炭収容網袋を、前記縦長箱体の前記扉を開けてＨの前記木炭収容網袋収容スペースの下部のグリルの上面に木炭収容網袋を載置し、前記木炭同士の隙間を流動して前記通気路を上昇する空気を清浄にし、季節によって他の各収容スペースを流動する暖め又は冷やした空気を前記フアンを回転して室内に向かって送風することを特徴とする。
【００１０】
請求項6に記載の発明は、建物の外側の壁の開口部に装着する縦長箱体の給気装置であって、前記縦長箱体を金属材で形成し、該縦長箱体の外側に張った金属の板材の内側に板材に接して断熱材を張り、前記縦長箱体の下部のＭを外気を流入する吸気口スペースと、その上段のＮを冷暖房機能を有するパイプ収容箱体収容スペースと、その上段のＯを木炭収容網袋収容スペースと、その上段のＰにフアン装着スペース等を設け、前記縦長箱体のＭの前記吸気口スペースから流入した空気を、前記各収容スペースの通気路を流動して上昇し、最上部のＰの前記フアン装着スペースに装着したフアンの回転で、季節により冷えた空気又は暖めた空気を清浄にして室内に向かって送風することを特徴とする。
【００１１】
請求項7に係る発明は、前記縦長箱体の最下部のＭの前記吸気口スペースの外側に開口部を設け、該開口部の外側にフードを備え、底板の上面に結露水を受ける金属製の皿板を備えた前記吸気口スペースを設け、その上段のＮの前記パイプ収容箱体収容スペースに室内側に片開きの扉を有し、下部にグリルを備えた冷却機能と温水機能を有するパイプ収容箱体収容スペースを設け、その上段のＯの前記木炭収容網袋収容スペースに室内側に片開きの扉を有し、下部に金属製のグリルを備えた木炭収容網袋収容スペースを設け、最上部のＰの前記フアン装着スペースに室内側に開口部を設け、下部にグリルを備え、室内に向かってフアンを装着した前記フアン装着スペースを設け、前記各収容スペースの通気路を流動して上昇した空気を、前記フアンを回転して室内に向かって送風することを特徴とする
【００１２】
請求項8に係る発明は、前記縦長箱体のＮの前記パイプ収容箱体収容スペース内に収容する前記パイプ収容箱体は、Ｎのパイプ収容箱体収容スペース内に収容出来る寸法に形成したパイプ収容箱体であって、前記パイプ収容箱体の上下部を除く周囲をプラスチック板材で組み、内部に金属製のパイプをＳ字状に配列した層を複数設け、各層毎に直交してＳ字状の前記パイプを水平に配列し、各上部の層と下部の層のＳ字状に配列した前記パイプの層を上下方向に適宜な間隔を開けて配設し、最上部の縦方向のＳ字状のパイプの層のパイプの後端を屈曲して垂直部分を形成し、該垂直部分のパイプの後端を屈曲して延長して下部の層の横方向のＳ字状のパイプの層を形成し、以下複数の下方の層の前記パイプも上記と同様に前記縦方向のＳ字状のパイプの層と、前記横方向のＳ字状のパイプの層を形成して配設し、最上部の前記縦方向のＳ字状の前記パイプの層のパイプの先端から流入した温水又は冷水が、Ｓ字状のパイプの各層を流動し、最下部の前記横方向のＳ字状に配列した前記パイプの層のパイプの後端から流出し、他所に装置したポンプを介し、冬季はＳ字状に配列した複数の前記パイプの層に温水を循環し、パイプから放散する暖気でＮの前記パイプ収容箱体収容スペース内の前記通気路を流動する空気を暖めて室内に送風し、夏季は前記ポンプを介し、Ｓ字状に配列した複数の前記パイプの層に冷水を循環してパイプから放散する冷気でＮの前記パイプ収容箱体収容スペース内の前記通気路を流動する空気を冷やして室内に送風し、室温の状況により前記縦長箱体の室内側の面にスイッチ兼用のコンセントと温度調整手段を設け、季節によって温水又は冷水に切り替えができることを特徴とする。
【００１３】
請求項9に係る発明は、前記パイプ収容箱体内に配設するＳ字状に配列した前記パイプの複数の層を支持する支柱をパイプ収容箱体内の四隅に立設し、縦方向のパイプの層を支持する両側の両横桟を縦方向のパイプと直交し、該両横桟の両端を四隅の各支柱に水平に接合し、両横桟の上面の両側端に横桟に直交する両側の縦方向のパイプを受ける断面が半円形の複数の受部材を設けてパイプを固定し、前記両横桟の上面に中間の縦方向の前記各パイプを受ける高さ調整のための複数の受座を設け、横方向のＳ字状に配列した前記パイプの層を支持する縦方向の両側の縦桟を上部の前記両横桟の両端から吊金具で吊って支持し、該両縦桟で横方向に配列した前記パイプの層を支持し、以下下方の三層の縦方向の前記パイプの層も上記と同様に複数の横桟で支持し、以下下方の三層の横方向のパイプの層も上記と同様に複数の縦桟で支持し、四隅の前記支柱と、複数の前記横桟と、複数の前記縦桟とで支持組織を構成し、該支持組織の前記横桟に縦方向のＳ字状の複数の前記パイプの層を載置し、前記支持組織の縦桟に前記横方向のＳ字状の複数の前記パイプの層を載置して全体を構成して前記パイプ収容箱体内に収容し、前記パイプ収容箱体の室内側に蓋側板を取付けてパイプ収容箱体を構成し、前記縦長箱体の前記扉を開けてＮの前記パイプ収容箱体収容スペース内の下部のグリルの上面に前記パイプ収容箱体を載置し、最上部の縦方向の前記パイプの層のパイプの先端を前記ポンプからの往路のパイプに接合し、最下部の横方向の前記パイプの層のパイプの後端を前記ポンプからの復路のパイプに接合し、季節によって暖め又は冷やした空気を前記通気路を流動し、前記フアンを回転して室内に向かって送風することを特徴とする。
【００１４】
請求項10に係る発明は、前記縦長箱体のＯの前記木炭収容網袋収容スペース内に収容する木炭収容網袋は、木炭収容網袋収容スペースに収容出来る寸法に形成した木炭収容網袋であって、該木炭収容網袋はナイロン製の糸で編んで長方体の形状に形成し、前記木炭収容網袋の上面に設けた開口部から砕いた木炭を入れて満たした木炭収容網袋を、前記縦長箱体の前記扉を開けてＮの前記木炭収容網袋スペースの下部のグリルの上面に載置し、木炭同士の隙間を流動して前記通気路を上昇する空気を清浄にし、季節によって前記パイプ収容箱体収容スペースからの空気と共に清浄な空気を通気路を流動して上昇し、Ｐの前記フアン装着スペースのフアンを回転して室内に送風するとを特徴とする。
【発明の効果】
【００１５】
建物の外側の開口部に装着する木製の縦長箱体の給気装置であって、縦長箱体の下部のＥを物品の配置スペースと、その上段のＦを外気を流入する吸気口スペースと、その上段のＧを発熱体又は保冷剤袋収容スペースと、その上段のＨを木炭収容網袋収容スペースと、最上段をフアン装着スペースとして備え、縦長箱体の下部のＦの吸気スペースから流入した空気を、冬季には発熱体収容箱体を、夏季には保冷剤袋収容箱体と入れ替え、季節に応じて冬季には温風が、夏季には冷風が通気路を流動して上昇し、木炭収容網袋収容スペース内の砕いた木炭の間を流動し、清浄になった空気と共にフアンを介して室内に送風できる。そして、縦長箱体の下部のＥの物品の配置スペース内に、所望によって加湿器・除湿器・イオン発生装置等が配置でき、快適で新鮮な空気を供給することができるという効果がある。
【発明を実施するための最良の形態】
【００１６】
以下、添付図面を参照して、本発明を実施するための最良の形態を説明する。
【００１７】
＜第一実施形態＞
図1、図2及び図3に示すように、第一実施形態の給気装置は、建物の開口部で柱と建具の間に随時装着できる給気装置であって、縦長箱体1に下からＥの物品の配置スペース2、Ｆの吸気スペース3、Ｇの発熱体又は保冷剤袋収容スペース4、Ｈの木炭網袋収容スペース5、Ｉのフアン装着スペース6等を設け、下部のＦの吸気スペース3から流入した空気を、上部の各収容スペース4、5、の通気路17を流動し、季節によって通気路17を上昇する空気を暖め又は冷やして最上部Ｉのフアン装着スペース6からフアン7を回転して室内に快適で新鮮な空気を送風するものである。
【００１８】
縦長箱体1は建物の開口部の柱27と建具26の間に建具26を一部開けて随時装着できる給気装置であって、縦長箱体1は木製の板材1aで形成し、外側に張った面材10の内側に面材10に接して断熱材9を張り、縦長箱体1の最上部の板材1aの上面に水切り鉄板16を設ける（図1参照）。
【００１９】
下部のＥの物品の配置スペース2は、室内に向かって開放して設ける。Ｆの吸気スペース3は、外側に開口部15を設け、開口部15の外側にフード8を備え、底板18の上面に結露水を受ける金属材の皿板11を外側に向かって勾配を付けて設ける。
【００２０】
Ｇの発熱体又は保冷剤袋収容スペース4は、室内側に扉12を有し、下部にグリル13を備え、前記縦長箱体1の扉12を開けて冬季は発熱体収容箱体20をグリル13の上面に載置し、夏季は発熱体収容箱体20を撤去して保冷剤袋収容箱体30を載置するものである。
【００２１】
Ｈの木炭収容網袋収容スペース5は、縦長箱体1の室内側に扉12を有し、下部にグリル13を備え、縦長箱体1の室内側の扉12を開けて木炭収容網袋40をグリル13の上面に載置する。Ｉのフアン装着スペースは、室内側に開口部14を設け、下部に金属製のグリル13を備え、室内側に向かってフイルター7ａを有するフアン7を装着するものである。
【００２２】
発熱体収容箱体20は周囲を耐熱板21で組み、発熱体収容箱体20の内周に発熱体23を設け、発熱体収容箱体20内の縦方向に縦横に格子状に組んだ複数の発熱体支持部材24を水平に備え、各発熱体支持部材24を壁面から適宜の間隔を開けて交互に設け、各発熱体支持部材24毎に発熱体支持部材24の位置に合せて発熱体支持部材24の上面に発熱体23を設け、発熱体収容箱体20の上部に縦方向の壁面から天蓋22の側端を適宜の間隔を開けて天蓋22を水平に設けるものである（図4参照）。
【００２３】
発熱体収容箱体20の下方から流動した空気が、ジグザグに水平に設けた各発熱体23の間を流動し、のろい時間をかけて周壁の発熱体23と、水平に設けた発熱体23から放散する熱で暖められた空気が、縦長箱体1内の通気路17を上昇する。縦長箱体1の室内側の面にスイッチ兼用のコンセント26と発熱体23の温度調整をするための温度調整手段25を設ける。
【００２４】
発熱体収容箱体20は、縦長箱体1のＧの収容スペース内に収容出来る寸法に構成し、冬季は発熱体収容箱体20を縦長箱体1の扉12を開けてＧの発熱体又は保冷剤袋収容スペース4内のグリル13の上面に載置し、夏季は保冷剤袋収容箱体30と入れ替えるものである。
【００２５】
保冷剤袋収容箱体30は、保冷剤袋収容箱体30の周囲の3面をプラスチック板材31で組み、室内側の上部と下部を断面が正方形の金属部材32を水平に装着し、金属部材32の内側に保冷剤袋36aの出し入れをするための蓋板33を上下方向に着脱自在に設けるものである（図5参照）。
【００２６】
保冷剤袋収容箱体30の内側に金属部材を縦横に格子状に組んだ複数の支持部材34を水平に設け、各支持部材34の上面に支持部材34毎に、縦方向の壁面から通気のために適宜の間隔を開けて交互に仕切部材35を垂直に設け、各仕切部材35と壁面の間の各支持部材34の上面に複数の保冷剤袋36aを水平に載置するものである。
【００２７】
保冷剤袋収容箱体30の下部から流動して来た空気が、ジグザグに水平に設けた支持部材34の上面に載置した各保冷剤袋36aの間を流動し、のろい時間をかけて流動する空気が保冷剤袋36aから放散する冷気で冷やされた空気が、縦長箱体1内の通気路17を上昇する。使用時間によって保冷剤袋36aは他の保冷剤袋36aと入れ替えができるものである。
【００２８】
保冷剤袋収容箱体30はＧの発熱体又は保冷剤袋収容スペース4内に収容出来る寸法に構成し、夏季は保冷剤袋収容箱体30を縦長箱体1の扉12を開けてＧの発熱体又は保冷剤袋収容スペース4内のグリル13の上面に載置し、冬季は発熱体収容箱体20と入れ替えるものである。
【００２９】
木炭収容網袋40はナイロン製の糸で長方体の形状に網袋41を編み、上面の中心の縦方向に開閉自在に開口部43を設け、該開口部43から砕いた木炭42（木炭の図一部省略）を入れて木炭収容網袋40内を満たすものである。木炭42は竹炭であってもよい（図6参照）。
【００３０】
木炭収容網袋40は縦長箱体1のＨの木炭収容網袋収容スペース53内に収容出来る寸法に形成し、木炭収容網袋40を縦長箱体1の扉12を開けてＨの木炭収容網袋収容スペース53内のグリル13の上面に載置し、Ｈの木炭収容網袋収容スペース5に収容し、木炭収容網袋40の下方から流動した空気が、砕いた木炭42の間を流動し、木炭42から放散する香気で清浄にした空気が、縦長箱体1内の通気路17を上昇する。
【００３１】
縦長箱体1のＩのフアン装着スペース6に室内側に開口部14を設け、開口部14に室内側に向かってフアン7を装着し、下部のＦの吸気口スペース2から流入した空気が、他の各収容スペース4，5の通気路17を流動して上昇し、季節によって暖め又は冷やして清浄にした空気を、フアン7を回転して室内に向かって送風することができるものである。
【００３２】
＜第二実施例＞
図7、図8及び図9に示すように、第二実施形態は建物の壁の開口部に装着する給気装置であって、縦長箱体50を金属材で形成し、縦長箱体50の外側に張った金属の板材55の内側に接して断熱材56を張り、縦長箱体50の下部からＭの吸気口スペース51、Ｎのパイプ収容スペース52、Ｏの木炭収容網袋収容スペース53、Ｐのフアン装着スペース54等を設け、下部のＭの吸気口スペース51から流入した空気を，上部の各収容スペースＮ，Ｏの通気路66を流動し、季節によって通気路66を流動する空気を暖め又は冷やし，最上部のＰのフアン装着スペース54からフアン63を回転して快適で新鮮な空気を室内に向かって送風するものである。
【００３３】
縦長箱体50の最下部のＭの吸気口スペース51に外側に向かって開口部57を設け、開口部57の外側にフード58を備え、底の側板50aの上面に結露水を受ける水切鉄板59を外に向かって勾配を付けて備える。その上段のＮのパイプ収容スペース52は室内側に片開きの扉60を有し、下部にグリル61を備え、冷却機能と暖房機能を備えたパイプ収容箱体70収容する。その上段のＯの木炭収容網袋スペース53は室内側に片開きの扉60を有し、下部にグリル61を備え、木炭収容網袋90を収容する。最上部Ｐのフアン装着スペース54は室内側に開口部62を設け、下部に金属製のグリル61を備え、室内側に開口部62を設け、室内側に向かってフアン63を装着したものである。
【００３４】
パイプ収容箱体70はＮのパイプ収容スペース52内に収容出来る寸法に形成し、パイプ収容箱体70の上下部を除く周囲をプラスチック板材71で組み、内部に金属製のパイプ75a、75bをＳ字状に水平に配列した層を複数配設し、各層毎に直交してパイプ75a、75bを水平に配列し、上部と下部のＳ字状に配列したパイプ75a、75bの層を上下方向に適宜な間隔を開けて配設するものである（図10参照）。
【００３５】
最上部の縦方向のＳ字状のパイプ75aの層の後端のパイプ75aを屈曲して垂直部分を形成し、垂直部分のパイプ75cの後端を屈曲して延長した下部の横方向のＳ字状のパイプ75bの層を形成し、以下上記と同様に下方の縦方向のニ層のＳ字状のパイプ75aの層と、垂直部分のパイプ75cの四箇所と、下方の横方向の二層のＳ字状のパイプ75bの層を配設するものである。
【００３６】
最上部の縦方向のＳ字状の層のパイプ75aの先端から流入した温水又は冷水が流動し、最下部の横方向のＳ字状の層のパイプ75bの後端から流出する系統で、他所に装置したポンプ（図省略）を介し、冬季はＳ字状に配列した各層のパイプ75a,75b,75cを温水が循環し、各層のパイプ75a,75b,75cから放散する暖気でパイプ収容箱体70内を上昇する空気を暖め、夏季はＳ字状に配列した各層のパイプ75a,75b,75cを冷水が循環し、各層のパイプ75a,75b,75cから放散する冷気でパイプ収容箱体70内を上昇する空気を冷やし、季節により各収容スペースＮ，Ｏ内の通気路66を上昇する空気を暖め又は冷やして室内に送風し、室温の状況により縦長箱体50の室内側の面にスイッチ兼用のコンセント67と温度調整手段65を設けたものである。
【００３７】
パイプ収容箱体70内に配設するＳ字状に配列したパイプ75a,75b,75cの複数の層を支持する支柱72をパイプ収容箱体70内の四隅に立設し、複数の縦方向のパイプ75aの層を支持する両横桟73を縦方向のパイプ75aと直交して両横桟73の両端と四隅の支柱72を接合し、両横桟73の上面の両側端に両外側に配列した縦方向のパイプ75aを受ける断面が半円形の受部材78を設け、両横桟73の上面に複数の中間のパイプ75aをパイプ75a毎に高さ調整のための複数の受座73aを設けたものである。
【００３８】
下方の二層の縦方向のパイプ75aの層もそれぞれ横桟73を縦方向のパイプ75aと直交して両横桟73の両端を四隅の支柱72に接合して設けるものである。下方の二層の横方向のパイプ75bの層を支持する縦桟74を横方向のパイプ75bの層と直交して上方の複数の層の横桟73から下方の複数の層の縦桟74を吊金具79で吊って支持し、四隅の支柱72と,横方向の各横桟73と、縦方向の各縦桟74と、複数のＳ字状のパイプ75a,75b,75cの層等を構成してパイプ収容箱体70内に収容する（図11参照）。
【００３９】
最上部の縦方向のパイプ75aの先端を孔83を通してポンプからの往路のパイプに接合し、最下部の横方向の後端のパイプ75bを孔83を通してポンプからの復路のパイプに接合し、パイプ収容箱体70に蓋側板71aを取付けパイプ収容箱体70を構成し、縦長箱体50のＮのパイプ収容スペース52の扉60を開け、下部のグリル61の上面にパイプ収容箱体70を載置するものである。パイプ収容箱体70内を流動する空気の温度に対応し、パイプ収容箱体70の上部に縦方向の側壁と天板（図省略）の側端との間に適宜な間隔を開け、パイプ収容箱体内を流動する空気の流れる速度を調整のための天板を設けてもよい（図11参照）。
【００４０】
縦長箱体50のＯの木炭収容網袋収容スペース53に収容する木炭収容網袋90は、木炭収容網袋収容スペース53に収容出来る寸法に形成した木炭収容網袋90であって、木炭収容網袋90はナイロン製の糸で編んで長方体の形状に形成し、木炭収容網袋90の上面の中心の縦方向に開口部93を開閉自在に設け、開口部93から砕いた木炭（木炭の図を一部省略）92を入れて木炭収容網袋90を満たし、縦長箱体50の扉60を開けてＯの木炭収容網袋収容スペース53の下部のグリル61の上面に木炭収容網袋90を載置し、木炭92同士の隙間を上昇した空気を清浄にし、季節によって他のパイプ収容スペースＮからの空気と共に清浄な空気を通気路66を流動して上昇し、フアン63を回転して室内に送風することができる（図13参照）。
【００４１】
縦長箱体50のＰのフアン装着スペース74は、開口部62に室内側に向かってフアン63を装着し、下部のＭの吸気口スペース51から流入した空気が、他の収容スペース52、53の通気路66を流動して上昇した空気をフアン63を回転して室内に向かって送風することができる。
【産業上の利用可能性】
【００４２】
建物に外気を流入するのに、現在は建物の中心部分に送風機を備え、送風機に取り込んだ外気を、送風機からダクトを用いて各室に送風する装置が普及しているが、本発明の給気装置は、建物の各室の柱と開口部の間に随時装着ができ、窓を閉め切った状態で、一日24時間室内に快適で新鮮な空気を供給できる縦長箱体の冷暖房機能を有する給気装置である。
【図面の簡単な説明】
【００４３】
【図１】図1（a）は本発明の木製の縦長箱体の正面図であり、図1（b）は図1（a）のＡ−Ａ線縦断面図である。
【図２】図2は図1（b）のＢ−Ｂ線横断面図である。
【図３】木製の縦長箱体を開口部に装着した状態の斜視図である。
【図４】図4（a）は発熱体収容箱体の斜視図であり、図4（b）は図4（a）のＤ−Ｄ線縦断面図である。
【図５】図5（a）は保冷剤袋収容箱体の斜視図であり、図5（b）は図5（a）のＣ−Ｃ線縦断面図である。
【図６】木炭収容網袋に木炭を収容した状態の斜視図である。
【図７】図7（a）は金属製の縦長箱体の正面図であり、図7（b）は図7（a）のＪ−Ｊ線縦断面図である。
【図８】図8は図7の（b）のＫ−Ｋ線横断面図である。
【図９】図9は金属製の縦長箱体を壁の開口部に装着した状態の斜視図である。
【図１０】図10（a）はＳ字状の層に配列したパイプのパイプ収容箱体の平面図であり図10（b）は図10（a）のＬ−Ｌ線縦断面図である。
【図１１】図11はＳ字状に配列したパイプの層を構成し、パイプ収容箱体内に収容する状態を示す斜視図である。
【図１２】図12は支柱に横桟を接合し、横桟から縦桟を吊り金具で吊った状態の要部を拡大した斜視図である。
【図１３】図13は木炭収容網袋に木炭を収容した状態の斜視図である。
【符号の説明】
【００４４】
1  縦長箱体
1a  板材
2  配置スペースＥ
3  吸気スペースＦ
4  発熱体又は保冷剤袋収容スペースＧ
5  木炭収容網袋収容スペースＨ
6  フアン装着スペースＩ
7  フアン
7a フイルター
8  フード
9  断熱材
10  面材
11  皿板
12  扉
13  グリル
14  上部開口部
15  下部開口部
17  通気路
18  底板
20  発熱体収容箱体
21  耐熱板
22  天板
23  発熱体
24  発熱体支持部材
25  温度調整手段
30  保冷剤袋収容箱体
31  プラスチック板材
32  金属部材
33  蓋板
34  支持部材
35  仕切部材
36  保冷剤
36a 保冷剤袋
40  木炭収容網袋
41  網袋
42  木炭
43  開口部
50  縦長箱体
50a 側板
51  吸気口スペースＭ
52  パイプ収容箱体収容スペースＮ
53  木炭網袋収容スペースＯ
54  フアン装着スペースＰ
55  板材
56  断熱材
57  下部開口部
58  フード
59  皿板
60  扉
61  グリル
62  上部開口部
63  フアン
65  温度調節手段
66  通気路
67  コンセント
70  パイプ収容箱体
71  プラスチック板材
71a 蓋側材
72  支柱
72a 支柱受座
73  横桟
73a受座 
74  縦桟 
75  パイプ
75a  縦方向のパイプ
75b  横方向のパイプ
75c  垂直のパイプ
78  受部座
79  吊金具
81  帯板
82  ビス
83  パイプ孔
90  木炭収容網袋
91  網袋
92  木炭
93  開口部
【図１】
2007333307.tif 000003
【図２】
2007333307.tif 000004
【図３】
2007333307.tif 000005
【図４】
2007333307.tif 000006
【図５】
2007333307.tif 000007
【図６】
2007333307.tif 000008
【図７】
2007333307.tif 000009
【図８】
2007333307.tif 000010
【図９】
2007333307.tif 000011
【図１０】
2007333307.tif 000012
【図１１】
2007333307.tif 000013
【図１２】
2007333307.tif 000014
【図１３】
2007333307.tif 000015
【手続補正書】
【提出日】平成18年10月27日(2006.10.27)
【手続補正１】
【補正対象書類名】特許請求の範囲
【補正対象項目名】全文
【補正方法】変更
【補正の内容】
【特許請求の範囲】
【請求項１】
建物の外側の開口部に装着する縦長箱体の給気装置であって、前記縦長箱体を木製の板材で形成し、該縦長箱体の外側に張った面材の内側に接して断熱材を張り、前記縦長箱体の下部のＥに物品の配置スペースと、その上段のＦに外気を流入する吸気口スペースと、その上段のＧに発熱体又は保冷剤袋収容スペースと、その上段のＨに木炭収容網袋収容スペースと、その上段のＩにフアン装着スペースを設け、前記縦長箱体の下部に設けたＦの前記吸気口スペースから流入した空気を、前記各スペースの通気路を流動して上昇し、最上部のＩの前記フアン装着スペースに装着したフアンの回転で、季節によって冷えた空気を又は暖めた空気を清浄にして室内に向かって送風することを特徴とする冷暖房機能を有する給気装置。
【請求項２】
前記縦長箱体の最下部のＥに室内に向かって開放した物品を配置する前記配置スペースを設け、その上段のＦの前記吸気スペースの外側に開口部を設け、該開口部の外側にフードを備え、底板の上面に結露水を受ける金属材の皿板を備えた前記吸気口スペースを設け、その上段のＧの前記発熱体又は保冷剤袋収容スペースの室内側に片開きの扉有し、下部にグリルを備えた前記発熱体又は保冷剤袋収容スペースを設け、その上段のＨの前記木炭収容網袋収容スペースの室内側に片開きの扉を有し、下部にグリルを備えた前記木炭網袋収容スペースを設け、最上部のＩの前記フアン装着スペースに室内側に開口部を設け、下部にグリルを備え、室内側に向かってフアンを装着した前記フアン装着スペースを設け、Ｅの前記配置スペースを除く前記各収容スペースの通気路を流動して上昇した空気を、前記フアンの回転で季節によって冷えた空気を又は暖めた空気を室内に向かって送風することを特徴とする請求項1に記載の冷暖房機能を有する給気装置。
【請求項３】
前記縦長箱体のＧの前記発熱体又は保冷剤袋収容スペースに収容する発熱体収容箱体は、前記発熱体又は保冷剤袋収容スペースに収容出来る寸法に構成した発熱体収容箱体であって、前記発熱体収容箱体の上下部を除く周囲を耐熱板で組んで箱体を形成し、上部には長手方向の前記耐熱板の壁面から耐熱板の天板の片方の側端を適宜な間隔を開けて天板を水平に設け、前記発熱体収容箱体の周壁の内面に発熱体を装着し、該発熱体収容箱体の周壁の発熱体の面から縦横に金属材で格子状に組んだ複数の発熱体支持部材を水平に設け、該各発熱体支持部材の側端を長手方向の壁面から交互に適宜の間隔を開けて設け、該各発熱体支持部材を上下方向に適宜な間隔を開けて設け、該各発熱体支持部材毎に支持部材の上面に発熱体を水平に装着し、前記縦長箱体の前記扉を開けてＧの前記発熱体又は保冷剤袋収容スペースの下部のグリルの上面に前記発熱体収容箱体を載置し、下方から上昇した空気が水平方向に各発熱体の間をジグザグに流動し、冬季は発熱体から放散する熱気で暖められた空気が通気路を流動して上昇し、前記フアンの回転で室内に向かって送風し、前記縦長箱体の室内側の面にスイッチ兼用のコンセントと、室温の状況によって温度調整手段を設け、夏季は前記発熱体収容箱体を撤去し、前記保冷剤袋収容箱体と入れ替えることを特徴とする請求項1又は2に記載の冷暖房機能を有する給気装置。
【請求項４】
前記縦長箱体のＧの前記発熱体又は保冷剤袋収容スペースに収容する保冷剤袋収容箱体は、前記発熱体又は保冷剤袋収容スペースに収容出来る寸法に構成した保冷剤袋収容箱体であって、前記保冷剤袋収容箱体の周囲の三面をプラスチック板材で組み、該保冷剤袋収容箱体の室内側の面の下部と上部を断面が正方形の金属部材で水平に繋ぎ、該金属部材の内側に前記保冷剤袋の出し入れが出来る上下方向に着脱自在に金属製の蓋板を設けて形成し、前記保冷剤袋収容箱体の周囲の壁面から複数の金属製の格子状の保冷剤袋の支持部材を水平に設け、該各支持部材の上面に長手方向の両壁面から交互に適宜の間隔を開けて仕切部材を垂直に取付けて通気路を設け、前記各支持部材の上面に壁面と該仕切部材の間に前記保冷剤袋を水平に載置し、各支持部材の上下方向を前記保冷剤袋と共に適宜な間隔を開けて設け、前記縦長箱体の前記扉を開けて、Ｇの前記発熱体又は保冷剤袋収容スペースの下部グリルの上面に前記保冷剤袋収容箱体を載置し、前記各保冷剤袋の間を水平にジグザグに空気が流動し、該保冷剤袋から放散する冷気で通気路を流動する空気を冷やし、使用時間によって他の保冷剤袋と交換が出来、夏季には前記通気路を流動して上昇した冷気を前記フアンの回転で室内に向かって送風し、冬季は前記保冷剤袋収容箱体を撤去し、前記発熱体収容箱体と入れ替えすることを特徴とする請求項1又は2に記載の冷暖房機能を有する給気装置。
【請求項５】
前記縦長箱体のＨの前記木炭収容袋収容スペースに収容する木炭収容網袋は、前記木炭収容網袋収容スペースに収容出来る寸法に形成した木炭収容網袋であって、前記木炭収容網袋はナイロン製の糸で編んで長方体の形状に形成し、前記木炭収容網袋の上部に設けた開口部から砕いた木炭を入れて満たした木炭収容網袋を、前記縦長箱体の前記扉を開けてＨの前記木炭収容網袋収容スペースの下部のグリルの上面に木炭収容網袋を載置し、前記木炭同士の隙間を流動して前記通気路を上昇する空気を清浄にし、季節によって他の各収容スペースを流動する暖め又は冷やした空気を前記フアンを回転して室内に向かって送風することを特徴とする請求項1又は2に記載の冷暖房機能を有する給気装置。
【請求項６】
建物の外側の壁の開口部に装着する縦長箱体の給気装置であって、前記縦長箱体を金属材で形成し、該縦長箱体の外側に張った金属の板材の内側に板材に接して断熱材を張り、前記縦長箱体の下部のＭを外気を流入する吸気口スペースと、その上段のＮを冷暖房機能を有するパイプ収容箱体収容スペースと、その上段のＯを木炭収容網袋収容スペースと、その上段のＰにフアン装着スペースを設け、前記縦長箱体のＭの前記吸気口スペースから流入した空気を、前記各収容スペースの通気路を流動して上昇し、最上部のＰの前記フアン装着スペースに装着したフアンの回転で、季節により冷えた空気又は暖めた空気を清浄にして室内に向かって送風する給気装置において、前記縦長箱体の最下部のＭの前記吸気口スペースの外側に開口部を設け、該開口部の外側にフードを備え、底板の上面に結露水を受ける金属材の皿板を備えた前記吸気口スペースを設け、その上段のＮの前記パイプ収容箱体収容スペースに室内側に片開きの扉を有し、下部にグリルを備えた冷却機能と温水機能を有するパイプ収容箱体収容スペースを設け、その上段のＯの前記木炭収容網袋収容スペースに室内側に片開きの扉を有し、下部に金属製のグリルを備えた木炭収容網袋収容スペースを設け、最上部のＰの前記フアン装着スペースに室内側に開口部を設け、下部にグリルを備え、室内に向かってフアンを装着した前記フアン装着スペースを設け、前記各収容スペースの通気路を流動して上昇した空気を、前記フアンを回転して室内に向かって送風することを特徴とする冷暖房機能を有する給気装置。
【請求項７】
前記縦長箱体のＮの前記パイプ収容箱体収容スペース内に収容する前記パイプ収容箱体は、Ｎのパイプ収容箱体収容スペース内に収容出来る寸法に形成したパイプ収容箱体であって、前記パイプ収容箱体の上下部を除く周囲をプラスシック板材で組み、内部に金属製のパイプをＳ字状に配列した層を複数設け、各層毎に直交してＳ字状の前記パイプを水平に配列し、各上部の層と下部の層のＳ字状に配列した前記パイプの層を上下方向に適宜な間隔を開けて配設し、最上部の縦方向のＳ字状のパイプの層のパイプの後端を屈曲して垂直部分を形成し、該垂直部分のパイプの後端を屈曲して延長して下部の層の横方向のＳ字状のパイプの層を形成し、以下複数の下方の層の前記パイプも上記と同様に前記縦方向のＳ字状のパイプの層と、前記横方向のＳ字状のパイプの層を形成して配設し、最上部の前記縦方向のＳ字状の前記パイプの層のパイプの先端から流入した温水又は冷水が、Ｓ字状のパイプの各層を流動し、最下部の前記横方向のＳ字状に配列した前記パイプの層のパイプの後端から流出し、他所に装置したポンプを介し、冬季はＳ字状に配列した複数の前記パイプの層に温水を循環し、パイプから放散する暖気でＮの前記パイプ収容箱体収容スペース内の前記通気路を流動する空気を暖めて室内に送風し、夏季は前記ポンプを介し、Ｓ字状に配列した複数の前記パイプの層に冷水を循環してパイプから放散する冷気でＮの前記パイプ収容箱体収容スペース内の前記通気路を流動する空気を冷やして室内に送風し、室温の状況により前記縦長箱体の室内側の面にスイッチ兼用のコンセントと温度調整手段を設け、季節によって温水又は冷水に切り替えができることを特徴とする請求項6に記載の冷暖房機能を有する給気装置。
【請求項８】
前記パイプ収容箱体内に配設するＳ字状に配列した前記パイプの複数の層を支持する支柱をパイプ収容箱体内の四隅に立設し、縦方向のパイプの層を支持する両側の両横桟を縦方向のパイプと直交し、該両横桟の両端を四隅の各支柱に水平に接合し、両横桟の上面の両側端に横桟に直交する両側の縦方向のパイプを受ける断面が半円形の複数の受部材を設けてパイプを固定し、前記両横桟の上面に中間の縦方向の各パイプを受ける高さ調整のための複数の受座を設け、横方向のＳ字状に配列した前記パイプの層を支持する縦方向の両側の縦桟を上部の前記両横桟の両端から吊り金具で吊って支持し、該両縦桟で横方向に配列した前記パイプの層を支持し、以下下方の三層の縦方向のパイプの層も上記と同様に複数の横桟で支持し、以下下方の三層の横方向の前記パイプの層も上記と同様に複数の縦桟で支持し、四隅の前記支柱と、複数の前記横桟と、複数の前記縦桟とで支持組織を構成し、該支持組織の前記横桟に縦方向のＳ字状の複数の前記パイプの層を載置し、前記支持組織の縦桟に前記横方向のＳ字状の複数の前記パイプの層を載置して全体を構成して前記パイプ収容箱体内に収容し、前記パイプ収容箱体の室内側に蓋側板を取付けてパイプ収容箱体を構成し、前記縦長箱体の前記扉を開けてＮの前記パイプ収容箱体収容スペース内の下部のグリルの上面に前記パイプ収容箱体を載置し、最上部の縦方向の前記パイプの層のパイプの先端を前記ポンプから往路のパイプに接合し、最下部の横方向の前記パイプの層のパイプの後端を前記ポンプからの復路のパイプに接合し、季節によって暖め又は冷やした空気を前記通気路を流動し、前記フアンを回転して室内に向かって送風することを特徴とする請求項6又は7に記載の冷暖房機能を有する給気装置。
【請求項９】
前記縦長箱体のＯの前記木炭収容網袋収容スペース内に収容する木炭収容網袋は、木炭収容網袋収容スペースに収容出来る寸法に形成した木炭収容網袋であって、該木炭収容網袋はナイロン製の糸で編んで長方体の形状に形成し、前記木炭収容網袋の上面に設けた開口部から砕いた木炭を入れて満たした木炭収容網袋を、前記縦長箱体の前記扉を開けてＮの前記木炭収容網袋収容スペースの下部のグリルの上面に載置し、木炭同士の隙間を流動して前記通気路を上昇する空気を清浄にし、季節によって前記パイプ収容箱体収容スペースからの空気と共に清浄な空気を通気路を流動して上昇し、Ｐの前記フアン装着スペースのフアンを回転して室内に向かって送風することを特徴とする請求項6に記載の冷暖房機能を有する給気装置。
【手続補正２】
【補正対象書類名】明細書
【補正対象項目名】全文
【補正方法】変更
【補正の内容】
【発明の詳細な説明】
【技術分野】
【０００１】
本発明は、建物内に外気を給気する際に、縦長箱体の中に冷暖房機能を備えた通気路を流動する空気を、季節によって暖め又は冷やし、清浄にして室内に送風することに関する。
【背景技術】
【０００２】
従来の建物は技術の進歩に伴い、快適性を求めて冷暖房の性能を高めるために、建物を高気密化する傾向にあり、それに伴って室内への空気の供給が不十分であり、よって室内の空気が希薄となり、ハウスダスト等で汚染され、居住する人の健康をそこねる結果となった。各種の機械換気装置が出回っているが、未だ理想的な換気装置がないのが現状である。
【０００３】
建物の換気を行う給気装置として、冬季に外気を取り入れる給気装置の内面に、高熱伝導率を有する金属板材を配置し、前記吸気通路を構成する筒体の外部に前記金属板材を延長し、この金属板材の延長部分に前記外気の温度を高める加温手段を設置していますが、年間を通じて夏季の季節もあり、暑氣の冷却手段が考察されていない。
【特許文献１】特開2005−265270
【発明の開示】
【発明が解決しようとする課題】
【０００４】
上記課題を解決するために、本願の冷暖房機能を有する給気装置は、縦長箱体で縦長の通気路を形成した給気装置であって、縦長箱体の外側の下部の給気口から流入した空気を、通気路内に段階を設けて、下から発熱体又は保冷剤袋収容スペースと、木炭網袋収容スペースと、最上部にフアン装着スペースを設け、夏季には発熱体又は保冷剤袋収容スペース内に保冷剤袋収容箱体を収容して配置し、保冷剤袋収容箱体内の複数の保冷剤の間を流動する空気を冷却し、冬季には発熱体又は保冷剤袋収容スペース内に保冷剤袋収容箱体と入れ替えに、発熱体収容箱体を収容して配置し、発熱体収容箱体内の複数の発熱体の間を流動する空気を暖め、木炭収容袋収容スペース内の木炭の間を空気が流動して清浄にし、夏季は冷やした空気を、冬季は暖めた空気を、木炭で清浄にした空気と共にフアンを回転して室内に向かって送風することを特徴とする。
【課題を解決するための手段】
【０００５】
請求項1に係る発明は、建物の外側の開口部に装着する縦長箱体の給気装置であって、前記縦長箱体を木製の板材で形成し、該縦長箱体の外側に張った面材の内側に接して断熱材を張り、前記縦長箱体の下部のＥに物品の配置スペースと、その上段のＦに外気を流入する吸気口スペースと、その上段のＧに発熱体又は保冷剤袋収容スペースと、その上段のＨに木炭収容網袋収容スペースと、その上段のＩにフアン装着スペースを設け、前記縦長箱体の下部に設けたＦの前記吸気口スペースから流入した空気を、前記各スペースの通気路を流動して上昇し、最上部のＩの前記フアン装着スペースに装着したフアンの回転で、季節によって冷えた空気を又は暖めた空気を清浄にして室内に向かって送風することを特徴とし、一日２４時間部屋の窓を閉め切った状態で、快適で清浄な空気が提供される。
【０００６】
請求項2に係る発明は、前記縦長箱体の最下部のＥに室内に向かって開放した物品を配置する前記配置スペースを設け、その上段のＦの前記吸気スペースの外側に開口部を設け、該開口部の外側にフードを備え、底板の上面に結露水を受ける金属材の皿板を備えた前記吸気口スペースを設け、その上段のＧの前記発熱体又は保冷剤袋収容スペースの室内側に片開きの扉有し、下部にグリルを備えた前記発熱体又は保冷剤袋収容スペースを設け、その上段のＨの前記木炭収容網袋収容スペースの室内側に片開きの扉を有し、下部にグリルを備えた前記木炭網袋収容スペースを設け、最上部のＩの前記フアン装着スペースに室内側に開口部を設け、下部にグリルを備え、室内側に向かってフアンを装着した前記フアン装着スペースを設け、Ｅの前記配置スペースを除く前記各収容スペースの通気路を流動して上昇した空気を、前記フアンの回転で季節によって冷えた空気を又は暖めた空気を室内に向かって送風することを特徴とする。
【０００７】
請求項3に係る発明は、前記縦長箱体のＧの前記発熱体又は保冷剤袋収容スペースに収容する発熱体収容箱体は、前記発熱体又は保冷剤袋収容スペースに収容出来る寸法に構成した発熱体収容箱体であって、前記発熱体収容箱体の上下部を除く周囲を耐熱板で組んで箱体を形成し、上部には長手方向の前記耐熱板の壁面から耐熱板の天板の片方の側端を適宜な間隔を開けて天板を水平に設け、前記発熱体収容箱体の周壁に内面に発熱体を装着し、該前記発熱体収容箱体の周壁の発熱体の面から縦横に金属材で格子状に組んだ複数の発熱体支持部材を水平に設け、該各発熱体支持部材の側端を長手方向の壁面から交互に適宜の間隔を開けて設け、該各発熱体支持部材を上下方向に適宜な間隔を開けて設け、該各発熱体支持部材毎に支持部材の上面に発熱体を水平に装着し、前記縦長箱体の前記扉を開けてＧの前記発熱体又は保冷剤袋収容スペースの下部のグリルの上面に前記発熱体収容箱体を載置し、下方から上昇した空気が水平方向に各発熱体の間をジグザグに流動し、冬季は発熱体から放散する熱気で暖められた空気が通気路を流動して上昇し、前記フアンの回転で室内に向かって送風し、前記縦長箱体の室内側の面にスイッチ兼用のコンセントと、室内の状況によって温度調整手段を設け、夏季は前記発熱体収容箱体を撤去し、前記保冷剤袋収容箱体と入れ替えることを特徴とする。
【０００８】
請求項4に係る発明は、前記縦長箱体のＧの前記発熱体又は保冷剤袋収容スペースに収容する保冷剤袋収容箱体は、前記発熱体又は保冷剤袋収容スペースに収容出来る寸法に構成した保冷剤袋収容箱体であって、前記保冷剤袋収容箱体の周囲の三面をプラスチック板材で組み、該保冷剤袋収容箱体の室内側の面の下部と上部を断面が正方形の金属部材で水平に繋ぎ、該金属部材の内側に前記保冷剤袋の出し入れが出来る上下方向に着脱自在に金属製の蓋板を設けて形成し、前記保冷剤袋収容箱体の周囲の壁面から複数の金属製の格子状の保冷剤袋の支持部材を水平に設け、該各支持部材の上面に長手方向の両壁面から交互に適宜の間隔を開けて仕切部材を垂直に取付けて通気路を設け、前記各支持部材の上面に壁面と該仕切部材の間に前記保冷剤袋を水平に載置し、各支持部材の上下方向を前記保冷剤袋と共に適宜な間隔を開けて設け、前記縦長箱体の前記扉を開けて、Ｇの前記発熱体又は保冷剤袋収容スペースの下部グリルの上面に前記保冷剤袋収容箱体を載置し、前記各保冷剤袋の間を水平にジグザグに空気が流動し、該保冷剤袋から放散する冷気で通気路を流動する空気を冷やし、使用時間によって他の保冷剤袋と交換が出来、夏季には前記通気路を流動して上昇した冷気を前記フアンの回転で室内に向かって送風し、冬季は前記保冷剤袋収容箱体を撤去し、前記発熱体収容箱体と入れ替えすることを特徴とする。
【０００９】
請求項5に係る発明は、前記縦長箱体のＨの前記木炭収容袋収容スペースに収容する木炭収容網袋は、前記木炭収容網袋収容スペースに収容出来る寸法に形成した木炭収容網袋であって、前記木炭収容網袋はナイロン製の糸で編んで長方体の形状に形成し、前記木炭収容網袋の上部に設けた開口部から砕いた木炭を入れて満たした木炭収容網袋を、前記縦長箱体の前記扉を開けてＨの前記木炭収容網袋収容スペースの下部のグリルの上面に木炭収容網袋を載置し、前記木炭同士の隙間を流動して前記通気路を上昇する空気を清浄にし、季節によって他の各収容スペースを流動する暖め又は冷やした空気を前記フアンを回転して室内に向かって送風することを特徴とする。
【００１０】
請求項6に係る発明は、建物の外側の壁の開口部に装着する縦長箱体の給気装置であって、前記縦長箱体を金属材で形成し、該縦長箱体の外側に張った金属の板材の内側に板材に接して断熱材を張り、前記縦長箱体の下部のＭを外気を流入する吸気口スペースと、その上段のＮを冷暖房機能を有するパイプ収容箱体収容スペースと、その上段のＯを木炭収容網袋収容スペースと、その上段のＰにフアン装着スペースを設け、前記縦長箱体のＭの前記吸気口スペースから流入した空気を、前記各収容スペースの通気路を流動して上昇し、最上部のＰの前記フアン装着スペースに装着したフアンの回転で、季節により冷えた空気又は暖めた空気を清浄にして室内に向かって送風する給気装置において、前記縦長箱体の最下部のＭの前記吸気口スペースの外側に開口部を設け、該開口部の外側にフードを備え、底板の上面に結露水を受ける金属材の皿板を備えた前記吸気口スペースを設け、その上段のＮの前記パイプ収容箱体収容スペースに室内側に片開きの扉を有し、下部にグリルを備えた冷却機能と温水機能を有するパイプ収容箱体収容スペースを設け、その上段のＯの前記木炭収容網袋収容スペースに室内側に片開きの扉を有し、下部に金属製のグリルを備えた木炭収容網袋収容スペースを設け、最上部のＰの前記フアン装着スペースに室内側に開口部を設け、下部にグリルを備え、室内に向かってフアンを装着した前記フアン装着スペースを設け、前記各収容スペースの通気路を流動して上昇した空気を、前記フアンを回転して室内に向かって送風することを特徴とする。
【００１１】
請求項7に係る発明は、前記縦長箱体のＮの前記パイプ収容箱体収容スペース内に収容する前記パイプ収容箱体は、Ｎのパイプ収容箱体収容スペース内に収容出来る寸法に形成したパイプ収容箱体であって、前記パイプ収容箱体の上下部を除く周囲をプラスシック板材で組み、内部に金属製のパイプをＳ字状に配列した層を複数設け、各層毎に直交してＳ字状の前記パイプを水平に配列し、各上部の層と下部の層のＳ字状に配列した前記パイプの層を上下方向に適宜な間隔を開けて配設し、最上部の縦方向のＳ字状のパイプの層のパイプの後端を屈曲して垂直部分を形成し、該垂直部分のパイプの後端を屈曲して延長して下部の層の横方向のＳ字状のパイプの層を形成し、以下複数の下方の層の前記パイプも上記と同様に前記縦方向のＳ字状のパイプの層と、前記横方向のＳ字状のパイプの層を形成して配設し、最上部の前記縦方向のＳ字状の前記パイプの層のパイプの先端から流入した温水又は冷水が、Ｓ字状のパイプの各層を流動し、最下部の前記横方向のＳ字状に配列した前記パイプの層のパイプの後端から流入し、他所に装置したポンプを介し、冬季はＳ字状に配列した複数の前記パイプの層に温水を循環し、パイプから放散する暖気でＮの前記パイプ収容箱体収容スペース内の前記通気路を流動する空気を暖めて室内に送風し、夏季は前記ポンプを介し、Ｓ字状に配列した複数の前記パイプの層に冷水を循環してパイプから放散する冷気でＮの前記パイプ収容箱体収容スペース内の前記通気路を流動する空気を冷やして室内に送風し、室温の状況により前記縦長箱体の室内側の面にスイッチ兼用のコンセントと温度調整手段を設け、季節によって温水又は冷水に切り替えができることを特徴とする。
【００１２】
請求項8に係る発明は、前記パイプ収容箱体内に配設するＳ字状に配列した前記パイプの複数の層を支持する支柱をパイプ収容箱体内の四隅に立設し、縦方向のパイプの層を支持する両側の両横桟を縦方向のパイプと直交し、該両横桟の両端を四隅の各支柱に水平に接合し、両横桟の上面の両側端に横桟に直交する両側の縦方向のパイプを受ける断面が半円形の複数の受部材を設けてパイプを固定し、前記両横桟の上面に中間の縦方向の各パイプを受ける高さ調整のための複数の受座を設け、横方向のＳ字状に配列した前記パイプの層を支持する縦方向の両側の縦桟を上部の前記両横桟の両端から吊り金具で吊って支持し、該両縦桟で横方向に配列した前記パイプの層を支持し、以下下方の三層の縦方向のパイプの層も上記と同様に複数の横桟で支持し、以下下方の三層の横方向の前記パイプの層も上記と同様に複数の縦桟で支持し、四隅の前記支柱と、複数の前記横桟と、複数の前記縦桟とで支持組織を構成し、該支持組織の前記横桟に縦方向のＳ字状の複数の前記パイプの層を載置し、前記支持組織の縦桟に前記横方向のＳ字状の複数の前記パイプの層を載置して全体を構成して前記パイプ収容箱体内に収容し、前記パイプ収容箱体の室内側に蓋側板を取付けてパイプ収容箱体を構成し、前記縦長箱体の前記扉を開けてＮの前記パイプ収容箱体収容スペース内の下部のグリルの上面に前記パイプ収容箱体を載置し、最上部の縦方向の前記パイプの層のパイプの先端を前記ポンプから往路のパイプに接合し、最下部の横方向の前記パイプの層のパイプの後端を前記ポンプからの復路のパイプに接合し、季節によって暖め又は冷やした空気を前記通気路を流動し、前記フアンを回転して室内に向かって送風することを特徴とする。
【００１３】
請求項9に係る発明は、前記縦長箱体のＯの前記木炭収容網袋収容スペース内に収容する木炭収容網袋は、木炭収容網袋収容スペースに収容出来る寸法に形成した木炭収容網袋であって、該木炭収容網袋はナイロン製の糸で編んで長方体の形状に形成し、前記木炭収容網袋の上面に設けた開口部から砕いた木炭を入れて満たした木炭収容網袋を、前記縦長箱体の前記扉を開けてＮの前記木炭収容網袋収容スペースの下部のグリルの上面に載置し、木炭同士の隙間を流動して前記通気路を上昇する空気を清浄にし、季節によって前記パイプ収容箱体収容スペースからの空気と共に清浄な空気を通気路を流動して上昇し、Ｐの前記フアン装着スペースのフアンを回転して室内に向かって送風することを特徴とする。
【発明の効果】
【００１４】
建物の外側の開口部に装着する木製の縦長箱体の給気装置であって、縦長箱体の下部のＥを物品の配置スペースと、その上段のＦを外気を流入する給気口と、その上段のＧを発熱体又は保冷剤袋収容スペースと、その上段のＨを木炭収容網袋収容スペースと、最上段をフアン装着スペースとして備え、縦長箱体の下部のＦの吸気スペースから流入した空気を、冬季には発熱体収容箱体を、夏季には保冷剤袋収容箱体と入れ替え、季節に応じて冬季には温風が、夏季には冷風が通気路を流動して上昇し、木炭収容網袋収容スペース内の砕いた木炭の間を流動し、清浄になった空気と共にフアンを介して室内に向かって送風できる。そして、縦長箱体の下部のＥの物品の配置スペース内に、所望によって加湿器・除湿器・イオン発生装置等が配置でき、快適で新鮮な空気を供給することができるという効果がある。
【発明を実施するための最良の形態】
【００１５】
以下、添付図面を参照して、本発明を実施するための最良の形態を説明する。
【００１６】
＜第一実施形態＞
図1、図2及び図3に示すように、第一実施形態の給気装置は、建物の開口部で柱と建具の間に随時装着できる給気装置であって、縦長箱体1を木製の板材で形成し、縦長箱体1に下から2Ｅの物品の配置スペース、3Ｆの吸気スペース、4Ｇの発熱体又は保冷剤袋収容スペース、5Ｈの木炭網袋収容スペース、6Ｉのフアン装着スペース等を設け、下部の3Ｆの吸気スペースから流入した空気を、上部の各収容スペース4Ｇ、5Ｈの通気路17を流動し、季節によって通気路17を上昇する空気を暖め又は冷やして最上部6Ｉのフアン装着スペースからフアン7を回転して室内に向かって快適で新鮮な空気を送風するものである。
【００１７】
縦長箱体1は建物の開口部の柱27と建具26の間に建具26を一部開けて随時装着できる給気装置であって、縦長箱体1は木製の板材1aで形成し、外側に張った面材10の内側に面材10に接して断熱材9を張り、縦長箱体1の最上部の板材1aの上面に水切り鉄板16を設ける（図1参照）。
【００１８】
下部の2Eの物品の配置スペースは、室内に向かって開放して設ける。3Fの吸気スペースは、外側に開口部15を設け、開口部15の外側にフード8を備え、底板18の上面に結露水を受ける金属材の皿板11を外側に向かって勾配を付けて設ける。
【００１９】
4Gの発熱体又は保冷剤袋収容スペースは、室内側に扉12を有し、下部にグリル13を備え、縦長箱体1の扉12を開けて冬季は発熱体収容箱体20をグリル13の上面に載置し、夏季は発熱体収容箱体20を撤去して換わりに保冷剤袋収容箱体30を載置するものである。
【００２０】
5Hの木炭収容網袋収容スペースは、縦長箱体1の室内側に扉12を有し、下部にグリル13を備え、縦長箱体1の室内側の扉12を開けて木炭収容網袋40をグリル13の上面に載置する。6Iのフアン装着スペースは、室内側に開口部14を設け、下部に金属製のグリル13を備え、室内側に向かってフイルター7aを有するフアン7を装着するものである。
【００２１】
発熱体収容箱体20は周囲を耐熱板21で組み、発熱体収容箱体20の内周に発熱体23を設け、発熱体収容箱体20内の縦方向に縦横に格子状に組んだ複数の発熱体支持部材24を水平に備え、各発熱体支持部材24を壁面から適宜の間隔をあけて交互に設け、各発熱体支持部材24毎に発熱体支持部材24位置に合わせて発熱体支持部材24の上面に発熱体23を設け、発熱体収容箱体20の上部に縦方向の壁面から天蓋22の側端を適宜の間隔を開けて天蓋22を水平に設けるものである（図4参照）。
【００２２】
発熱体収容箱体20の下方から流動した空気が、ジグザグに水平に設けた各発熱体23の間を流動し、のろい時間をかけて周壁の発熱体23と、水平に設けた発熱体23から放散する熱で暖められた空気が、縦長箱体1内の通気路17を上昇する。縦長箱体1の室内側の面にスイッチ兼用のコンセント26と発熱体23の温度調整をするための温度調整手段25を設ける。
【００２３】
発熱体収容箱体20は、縦長箱体1のGの収容スペース内に収容出来る寸法に構成し、冬季は発熱体収容箱体20を縦長箱体1の扉12を開けて4Gの発熱体又は保冷剤袋収容スペース内のグリル13の上面に載置し、夏季は保冷剤袋収容箱体30と入れ替えるものである。
【００２４】
保冷剤袋収容箱体30は、保冷剤袋収容箱体30の周囲の3面をプラスチック板材31で組み、室内側の上部と下部を断面が正方形の金属部材32を水平に装着し、金属部材32の内側に保冷剤袋36aの出し入れをするための蓋板33を上下方向に着脱自在に設けるものである（図5参照）。
【００２５】
保冷剤袋収容箱体30の内側に金属部材を縦横に格子状に組んだ複数の支持部材34を水平に設け、各支持部材34の上面に支持部材34毎に、縦方向の壁面から通気のために適宜の間隔を開けて交互に仕切部材35を垂直に設け、各仕切部材35と壁面の間の各支持部材34の上面に複数の保冷剤袋36aを水平に載置するものである。
【００２６】
保冷剤袋収容箱体30の下部から流動して来た空気が、ジグザグに水平に設けた支持部材34の上面に載置した各保冷剤袋36aの間を流動し、のろい時間をかけて流動する空気が保冷剤袋36aから放散する冷気で冷やした空気が、縦長箱体1内の通気路17を上昇する。使用時間によって保冷剤袋36aは他の保冷剤袋36aと入れ替えるができるものである。
【００２７】
保冷剤袋収容箱体30は4Gの発熱体又は保冷剤袋収容スペース内に収容出来る寸法に構成し、夏季は保冷剤袋収容箱体30を縦長箱体1の扉12を開けて4Gの発熱体又は保冷剤袋収容スペース内のグリル13の上面に載置し、冬季は発熱体収容箱体20と入れ替えるものである。
【００２８】
木炭収容網袋40はナイロン製の糸で長方体の形状に網袋41を編み、上面の中心の縦方向に開閉自在に開口部43を設け、該開口部43から砕いた木炭42（木炭の図一部省略）を入れて木炭収容網袋40内を満たすものである。木炭42は竹炭であってもよい（図6参照）。
【００２９】
木炭収容網袋40は縦長箱体1の5Hの木炭収容網袋収容スペース内に収容出来る寸法に形成し、木炭収容網袋40を縦長箱体1の扉12を開けて5Hの木炭収容網袋収容スペース内のグリル13の上面に載置し、5Hの木炭収容網袋収容スペースに収容し、木炭収容網袋40の下方から流動した空気が、砕いた木炭42の間を流動し、木炭42から放散する香気で清浄にした空気が、縦長箱体1内の通気路17を上昇する。
【００３０】
縦長箱体1の6Iのフアン装着スペースに室内側に開口部を設け、開口部14に室内側に向かってフアン7を装着し、下部の3Fの吸気口2から流入した空気が、他の各収容スペース4Ｇ、5Ｈの通気路17を流動して上昇し、季節によって暖め又は冷やして清浄にした空気を、フアン7を回転して室内に向かって送風することができるものである。縦長箱体1を金属材で形成してもよい。
＜第二実施形態＞
【００３１】
図8及び図9に示すように、第二実施形態は建物の外壁の開口部に装着する給気装置であって、縦長箱体50を金属材で形成し、縦長箱体50の外側に張った金属の板材55の内側に接して断熱材56を張り、縦長箱体50の下部から51Ｍの吸気口スペース、52Ｎのパイプ収容スペース、53Ｏの木炭収容網袋収容スペース、54Ｐのフアン装着スペース等を設け、下部の51Ｍの吸気口スペースから空気を上部の各収容スペース52Ｎ，53Ｏの通気路66を流動し、季節によって通気路66を流動する空気を暖め又は冷やし、最上部の54Ｐのフアン装着スペースからフアン63を回転して快適で新鮮な空気を室内に向かって送風するものである。
【００３２】
縦長箱体50を金属材で形成し、縦長箱体50の最下部の51Ｍの吸気口に外側に向かって開口部57を設け、開口部57の外側にフード58を備え、底の側板50aの上面に結露水を受ける水切鉄板59を外に向かって勾配を付けて備える。その上段の52Nのパイプ収容スペースは室内側に片開きの扉60を有し、下部にグリル61を備え、冷却機能と暖房機能を備えたパイプ収容箱体70を収容する。その上段の53Oの木炭収容網袋収容スペースは室内側に片開きの扉60を有し、下部にグリル61を備え、木炭収容網袋90を収容する。最上部54Pのフアン装着スペースは室内側に開口部62を設け、下部に金属製のグリル61を備え、室内側に開口部62を設け、室内側に向かってフアン63を装着したものである。
【００３３】
パイプ収容箱体70は52Nのパイプ収容スペース内に収容出来る寸法に形成し、パイプ収容箱体70の上下部を除く周囲をプラスチック板材71で組み、内部に金属製のパイプ75a、75bをS字状に水平に配列した層を複数配設し、各層毎に直交してパイプ75a、75bを水平に配列し、上部と下部のS字状に配列したパイプ75a、75bの層を上下方向に適宜な間隔を開けて配設するものである（図10参照）。
【００３４】
最上部の縦方向のS字状のパイプ75aの層の後端のパイプ75aの層の後端のパイプ75aを屈曲して垂直部分を形成し、垂直部分のパイプ75cの後端を屈曲して延長した下部の横方向のS字状のパイプ75bの層を形成し、以下上記と同様に下方の縦方向の二層のS字状のパイプ75aの層と、垂直部分のパイプ75cの四箇所と、下方の横方向の二層のS字状のパイプ75bの層を配設するものである。
【００３５】
最上部の縦方向のS字状の層のパイプ75aの先端から流入した温水又は冷水が流動し、最下部の横方向のS字状の層のパイプ75bの後端から流出する系統で、他所に装置したポンプ（図省略）を介し、冬季はS字状に配列した各層のパイプ75a、75b、75cから放散する暖気でパイプ収容箱体70内を上昇する空気を暖め、夏季はS字状に配列した各層のパイプ75a、75b、75cを冷水が循環し、各層のパイプ75a、75b、75cから放散する冷気でパイプ収容箱体70内を上昇する空気を冷やし、季節により各収容スペース52N、53O内の通気路66を上昇する空気を暖め又は冷やして室内に送風し、室温の状況により縦長箱体50の室内側の面にスイッチ兼用のコンセント67と温度調整手段65を設けたものである。
【００３６】
パイプ収容箱体70内に配設するS字状に配列したパイプ75a、75b、75cの複数の層を支持する支柱72をパイプ収容箱体70内の四隅に立設し、複数の縦方向のパイプ75aの層を支持する両横桟73を縦方向のパイプ75aと直交して両横桟73の両端と四隅の支柱72を接合し、両横桟73の上面の両側端に両外側に配列した縦方向のパイプ75aを受ける断面が半円形の受部材78を設け、両横桟73の上面に複数の中間のパイプ75a毎に高さ調整のための複数の受座73aを設けたものである。
【００３７】
下方の二層の縦方向のパイプ75aの層もそれぞれ横桟73を縦方向のパイプ75aと直交して両横桟73の両端を四隅の支柱72に接合して設けるものである。下方の二層の横方向のパイプ75bの層と直交して上方の複数の層の横桟73から下方の複数の層の縦桟74を吊金具79で吊って支持し、四隅の柱72と、横方向の各横桟73と、縦方向の各縦桟74と、
複数のS字状のパイプ75a、75b、75cの層等を構成してパイプ収容箱体70内に収容する（図11参照）。
【００３８】
最上部の縦方向のパイプ75aの先端を孔83を通してポンプからの往路のパイプに接合し、最下部の横方向の後端のパイプ75bを孔83を通してポンプからの復路のパイプに接合し、パイプ収容箱体70に蓋側板71aを取付けパイプ収容箱体70を構成し、縦長箱体50の52Nのパイプ収容スペースの扉60を開け、下部のグリル61の上面にパイプ収容箱体70を載置するものである。パイプ収容箱体70内を流動する空気の温度に対応し、パイプ収容箱体70の上部に縦方向の側壁と天板（図省略）の側端との間に適宜な間隔を開け、パイプ収容箱体70内を流動する空気の流れる速度を調整のための天板を設けてもよい（図11参照）。
【００３９】
縦長箱体50の53Oの木炭収容網袋収容スペースに収容する木炭収容網袋90は、木炭収容網袋収容スペース53Ｏに収容出来る寸法に形成した木炭収容網袋90であって、木炭収容網袋90はナイロン製の糸で編んで長方体の形状に形成し、木炭収容網袋90の上面の中心の縦方向に開口部93を開閉自在に設け、開口部93から砕いた木炭（木炭の図を一部省略）92を入れて木炭収容網袋90を満たし、縦長箱体50の扉60を開けて53Ｏの木炭収容網袋収容スペースの下部のグリル61の上面に木炭収容網袋90を載置し、木炭92同士の隙間を上昇した空気を清浄にし、季節によって他のパイプ収容スペース52Ｎからの空気と共に清浄な空気を通気路66を流動して上昇し、フアン63を回転して室内に向かって送風することができる（図13参照）。
【００４０】
縦長箱体50の54Ｐのフアン装着スペースは、開口部62に室内側に向かってフアン63を装着し、下部の51Ｍの吸気口スペースから流入した空気が、他の収容スペース52,53の通気路66を流動して上昇した空気をフアン63を回転して室内に向かって送風することができる。
【産業上の利用可能性】
【００４１】
建物に外気を流入するのに、現在は建物の中心部分に送風機を備え、送風機に取り込んだ外気を、送風機からダクトを用いて各室に送風する装置が普及しているが、本発明の給気装置は、建物の各室の柱と引き違い窓の間に随時装着ができ、窓を閉め切った状態で、一日24時間室内に快適で新鮮な空気を供給できる縦長箱体の冷暖房機能を有する給気装置である。
【図面の簡単な説明】
【００４２】
【図１】図1（a）は本発明の木製の縦長箱体の正面図であり、図1（b）は図1のA-A線縦断面図である。
【図２】図2は図1（b）のB−B線横断面図である。
【図３】木製の縦長箱体を開口部に装着した状態の斜視図である。
【図４】図4（a）は発熱体収容箱体の斜視図であり、図4（b）は図4（a）のD−D線縦断面図である。
【図５】図5（a）は保冷剤袋収容箱体の斜視図であり、図5（b）は図5（a）のC−C線縦断面図である。
【図６】木炭収容網袋に木炭を収容した状態の斜視図である。
【図７】図7（a）は金属製の縦長箱体の正面図であり、図7（b）は図7（a）のJ―J線縦断面図である。
【図８】図8は図7の（b）のK―K線横断面図である。
【図９】図9は金属製の縦長箱体を壁の開口部に装着した状態の斜視図である。
【図１０】ず10（a）はS字状の層に配列したパイプのパイプ収容箱体のの平面図であり図10（b）は図10（a）のL−L線縦断面図である。
【図１１】図11はS字状に配列したパイプの層を構成し、パイプ収容箱体に収容する状態を示す斜視図である。
【図１２】図12は支柱に横桟から縦桟を吊り金具で吊った状態の要部を拡大した斜視図である。
【図１３】図13は木炭収容網袋に木炭を収容した状態の斜視図である。
【符号の説明】
【００４３】
1  縦長箱体
1a  板材
2  配置スペースE
3  吸気スペースF
4  発熱体又は保冷剤袋収容スペースG
5  木炭収容網袋収容スペースH
6  フアン装着スペースI
7  フアン
7a  フイルター
8  フード
9  断熱材
10  面材
11  皿板
12  扉
13  グリル
14  上部開口部
15  下部開口部
17  通気路
18  底板
20  発熱体収容箱体
21  耐熱板
22  天板
23  発熱体
24  発熱体支持部材
25  温度調整手段
30  保冷剤袋収容箱体
31  プラスチック板材
32  金属部材
33  蓋板
34  支持部材
35  仕切部材
36  保冷剤
36a  保冷剤袋
40  木炭収容網袋
41  網袋
42  木炭
43  開口部
50  縦長箱体
50a  側板
51  吸気口スペースM
52  パイプ収容箱体収容スペースN
53  木炭網袋収容スペースO
54  フアン装着スペースP
55  板材
56  断熱材
57  下部開口部
58  フード
59  皿板
60  扉
61  グリル
62  上部開口部
63  フアン
65  温度調整手段
66  通気路
67  コンセント
70  パイプ収容箱体
71  プラスチック板材
71a  蓋側板
72  支柱
72a  支柱受座
73  横桟
73a  受座
74  縦桟
75  パイプ
75a  縦方向のパイプ
75b  横方向のパイプ
75c  垂直のパイプ
78  受部材
79  吊金具
81  帯板
82  ビス
83  パイプ孔
90  木炭収容網袋
91  網袋
92  木炭
93  開口部